(57)【要約】【課題】本発明は、遊技場管理システムに関するものであり、遊技場機器の障害及び／または売上げ情報をより容易に把握するよことを目的とする。【解決手段】本発明による遊技場管理システムは少なくとも一つの遊技器本体と、前記遊技本体に従属して配置される少なくとも一つの貨幣情報処理装置２００と、メインサーバー１００と、前記貨幣情報処理装置２００の所定の情報を前記メインサーバー１００に送る送信手段と、前記送信手段によりメインサーバー１００に送信された情報を保存するデータベース１１０〜１４０とを含み、前記メインサーバー１００は、通信網を通じて前記データベース１１０〜１４０に保存されている情報を外部に送る。【選択図】　　　図１
2004081799.tif 000002
【特許請求の範囲】
【請求項１】
少なくとも一つの遊技器本体と、
前記遊技器本体に従属して配置される少なくとも一つの貨幣情報処理装置と、通信網に接続されるメインサーバーと、前記貨幣情報処理装置の所定に情報を前記メインサーバーに送る送信手段と、前記送信手段によってメインサーバーに送信された情報を保存するデータースと、
を備える遊技場管理システム。
【請求項２】
各貨幣情報処理装置のなかで一つはマスタであり、他の貨幣情報処理装置は前記マスタ貨幣情報処理装置に対してスレーブである、請求項１に記載の遊技場管理システム。
【請求項３】
前記通信網は無線通信網であり、前記メインサーバーは前記データベースに保存されている情報を認証されたポータブル通信手段に送信可能な、請求項１または２に記載の遊技場管理システム。
【請求項４】
前記送信手段は有線ケーブルまたは無線モデムである、請求項１または２に記載の遊技場管理システム。
【請求項５】
前記貨幣情報処理装置は二つ以上のグループに分割されて、前記分割された各グループの一つの貨幣情報処理装置がマスタであり、　前記各グループのマスタ貨幣情報処理装置以外の残りの貨幣情報処理装置は、前記マスタ貨幣情報処理装置に対してスレーブである、請求項１に記載の遊技場管理システム。
【請求項６】
前記通信網はインターネットである、請求項１または２に記載の遊技機場管理システム。
【発明の詳細な説明】
【０００１】
【発明が属する技術分野】
本発明は、遊技場の管理システムに関するものであり、特に、遊技器本体の間に配置される貨幣情報処理器が使われる遊技場における遊技場管理システムに関するものである。
【０００２】
【従来の技術】
一般的に遊技場には多数の遊技器が配置されて遊技が行われる。遊技店主はある遊技器に障害が発生する場合に障害が発生した遊技器に直ちに措置を取らなければならないし、遊技が行われる状況をリアルタイムでモニタリングする必要がある。また、各遊技器別に累積する売上げ及び遊技場全体の遊技器に対して累積する売上げ管理などを簡易にする必要があった。
【０００３】
例えば、日本特許公開平５−４９７４３号によれば、遊技器の異常検出手段を提供して、前記異常検出手段が遊技器の異常を検出すれば、遊技に使われるカードに関する金額を表示するための表示手段にエラーコードを表示するような技術の使用が開始されている。この異常検出技術によれば、前記エラーコードは異常の内容に対応するコードとして前記標示器に表示されたエラーコードを見て速かに異常内容を把握し、遊技器を復旧することができるようになる。
【０００４】
前記異常検出技術では、遊技器で遊技を行う遊技者がエラーコードの表示を見付けてこれを遊技場の従業員や遊技店主に届けたり、従業員または遊技店主が直接見付けて措置を取らなければならなかった。このような管理システムにおいては、遊技場の店主が遊技器の異常発生を認知するのが遅れ、異常が発生した遊技器に対する措置も遅れる恐れがある。
【０００５】
そして遊技場の店主が遊技場を去っている場合には、遊技場の情報を把握することが難しい。即ち、遊技場に居ない店主は、定期的に遊技場の職員と連絡を取ったり、遊技場の職員から報告を受けなければ、遊技場の情報を管理することができない。また、既存の遊技場の管理システムでは、遊技器の障害情報と売上げ集計などの管理とが別に行われたことにより統合管理するのに不便さがあった。
【０００６】
【発明が解決しようとする課題】
本発明はこのような従来技術の問題点を解決するためのものであり、遊技場の店主ないし管理者が、遊技場の遊技器の障害情報と、売上げなどに関する金額情報とを統合して管理することができる遊技場管理システムを提供することを目的とする。
【０００７】
本発明の他の目的は、遊技場の店主ないし管理者が遊技場を去っている時にも遊技場の情報を容易に確認することができる遊技場管理システムを提供するものである。
【０００８】
【課題を解決するための手段】
第１発明に係る遊技場管理システムは、少なくとも一つの遊技器本体と、前記遊技器本体に従属して配置される少なくとも一つの貨幣情報処理装置と、通信網に接続されているメインサーバーと、前記貨幣情報処理装置の所定の情報を前記メインサーバーに送る送信手段と、前記送信手段によりメインサーバーに送信された情報を保存するデータベースとを含んでいる。前記メインサーバーは、通信網を通じて、前記データベースに保存されている情報を遊技場の外部又は内部に居る管理者に送信する。ここで管理者とは、遊技場又は遊技機器を管理する者であり、例えば遊技場の店主又は従業員である。また、管理者は、遊戯機器のメーカのサービスマンであっても良い。
【０００９】
このような遊技場管理システムによると、管理者は、遊技場の情報を遊技場の外部でも確認することが可能になるので、管理者が敢えて遊技場に常在したり、遊技場にいる従業員と連絡を取らないとしても、遊技場外部で遊技場の情報を確認することができる。
従って、遊技場の機械に障害が発生するようになれば、直ちに措置を取るように命令することができるし、外部でも遊技場の状況を容易に把握することができるようになる。
【００１０】
第２発明に係る遊技場管理システムは、第１発明に係るシステムにおいて、各貨幣情報処理装置の中で一つはマスタで、他の貨幣情報処理装置は、前記マスタ貨幣情報処理装置に対してスレーブである。
第２発明に係る遊技場管理システムは、メインサーバーへのデータ送信負荷を低減させ、貨幣情報処理装置のグルーピングが容易になり、管理が便利になる。
【００１１】
第３発明に係る遊技場管理システムは、第１又は第２発明に係るシステムにおいて、前記通信網が無線通信網であり、前記メインサーバーは前記データベースに保存されている情報を認証されたポータブル通信手段に送信可能である。このようなシステムによると、遊技場の貨幣情報処理装置の障害情報または金額情報などが外部にある遊技場管理者のポータブル通信手段に送信されて、管理者が外部で移動中でも便利に遊技場の情報を把握することができるし、それによる措置も取ることができる。
【００１２】
第４発明に係る遊技場管理システムは、第１又は第２発明に係るシステムにおいて、前記送信手段は有線ケーブルまたは無線モデムである。
第５発明に係る遊技場管理システムは、第１発明に係るシステムにおいて、前記貨幣情報処理装置は二つ以上のグループに分割され、前記分割された各グループの一つの貨幣情報処理装置がマスタで、前記各グループのマスタ貨幣情報処理装置以外の残り貨幣情報処理装置は前記マスタ貨幣情報処理装置に対してスレーブである。
【００１３】
第５発明に係る遊技場管理システムは、貨幣情報処理装置が非常に多い数の時に、貨幣情報処理装置をいくつかのグループで分けて前記グループのなかからマスタとして機能する貨幣情報処理装置と、前記マスタに対してスレーブとして機能する貨幣情報処理装置を置くことによって、より円滑な管理が可能になり、データ送信もより円滑に成り立つことができる。
【００１４】
第６発明に係る遊技場管理システムは、第１又は第２発明に係るシステムにおいて、前記通信網はインターネットである。遊技場の管理者ないし店主は、遊技場外部にいてもインターネットに接続可能なコンピューターにアクセスすることができる状況であれば、遊技場で情報を確認することと等しく外部コンピューターを通じ、遊技場の情報を確認可能である。
【００１５】
【発明の実施の形態】
以下では、添付図面を参照して本発明の好ましい実試例に対して説明する。
図１には、本発明による遊技場管理システムの基本構成図が図示されている。本発明による遊技場管理システムは少なくとも一つのサンドイッチ形貨幣情報処理装置２００−１、２００−２、２００−３、…、２００−ｎと、メインサーバー１００と、遊技場の情報データが保存されるデータベース１１０、１２０、１３０、１４０とを含む。前記貨幣情報処理装置２００−１、２００−２、２００−３、…、２００−ｎは、それぞれの遊技器に従属して配置され、例えば遊技器本体の間に配置される装置である。そして、前記少なくとも一つの貨幣情報処理装置２００−１、２００−２、２００−３、…、２００−ｎは、他の貨幣情報処理装置とデータを取り交わすことができるようにデータ送信手段によって直列に連結されている。前記データ送信手段は、例えば、ＲＳ−４８５ケーブルを使ったり、無線モデムなどの無線データ送信手段を使うことができる。例えば、図１に図示されたように貨幣情報処理装置２００−１は貨幣情報処理装置２００−２とＲＳ−４８５ケーブルで連結されており、貨幣情報処理装置２００−２はまた貨幣情報処理装置２００−３とＲＳ−４８５ケーブルで連結されている。最終貨幣情報処理装置２００−ｎはサーバー１００とデータ通信が可能であるようにＲＳ−４８５ケーブルで連結されている。このような構成では、貨幣情報処理装置２００−１、２００−２、２００−３、…、２００−ｎ−１はスレーブ（ｓｌａｖｅ）として機能し、最終貨幣情報処理装置２００−ｎはマスタ（ｍａｓｔｅｒ）として機能するようになる。
【００１６】
そして図１に図示された構成では、マスタとして貨幣情報処理装置２００−ｎが一つ使われたが、多くの貨幣情報処理装置をグループに分割した後、前記各グループの一つの貨幣情報処理装置をマスタとして使い、そのグループの他の貨幣情報処理装置は前述したようにスレーブとして使うこともできる。この場合には、マスタで使われる各グループの貨幣情報処理装置がメインサーバー１００にＲＳ−４８５ケーブルに連結される。
【００１７】
データベースは、使用者情報が保存される使用者情報データベース１１０と、貨幣情報処理装置の情報が保存される貨幣情報処理装置情報データベース１２０と、金額関連情報が保存される金額情報データベース１３０と、遊技器の障害関連情報が保存される障害情報データベース１４０を含む。前記データベースとメインサーバー１００とは、開放型データベース連結型（ＯＤＢＣ；Ｏｐｅｎ　Ｄａｔａｂａｓｅ　Ｃｏｎｎｅｃｔｉｖｉｔｙ）で転結されている。
【００１８】
使用者情報データベース１１０には、遊技を遂行する遊技者の情報が保存される。
貨幣情報処理装置情報データベース１２０には、遊技場で使われるすべての貨幣情報処理装置の情報が保存されている。前記情報は各貨幣情報処理装置毎に既に割り当てされているＩＤと、当該貨幣情報処理装置が属しているグループのＩＤと、前記グループのマスタ装置のＩＤと、当該装置が設置された日付などを含む。
【００１９】
金額情報データベース１３０には、遊技場で使われる遊技器に投入され、遊技に所要された金額などに対する情報が保存されている。前記情報は、遊技器本体に附属している貨幣情報処理装置で投入された金額、当該貨幣情報処理装置で払い戻された金額、当該装置で実際遊技に使われた金額、前記金額の日割及び月割合計額などを含む。前記データベース１３０には、金額が投入されて払い戻された時刻も保存することができる。
【００２０】
障害情報データベース１４０には、遊技場の遊技器の障害に対する情報が保存されている。障害に対する情報は各貨幣情報処理装置毎に記録される。また、予め、各障害内容毎に障害コードが割り当てされている。前記障害データベース１４０に保存される障害情報は、障害が発生した遊技器の貨幣情報処理装置が含まれているグループのＩＤ、障害が発生した遊技器の貨幣情報処理装置のＩＤ、障害内容及びその障害内容に対応する障害コードが保存されている。障害内容には紙幣認識機障害、ＬＣＤ障害、カードリーダー機障害、入力キー障害などが含まれる。
【００２１】
前記データベース１１０、１２０、１３０、１４０に記録されている金額情報及び障害情報は、各貨幣情報処理毎に管理者が管理することができ、特に、障害情報を基礎にして特定貨幣情報処理器が続いて等しい障害を起こす場合には、関連部品自体を交換したりするなどのより積極的な補修処理ができるようになる。また、各貨幣情報処理毎に売上高などを集計し、管理の便宜性も向上される。
【００２２】
図２には、本発明による遊技場管理システムの他の実試例が図示されている。図２に図示されたところによると、遊技場のメインサーバー１００がインターネット３００を通じて外部のコンピューター４００に連結されることができる。このような構成によると、遊技場の店主ないし管理者が遊技場にいなくて外部にいる場合でもコンピューターにアクセスが可能であれば、インターネットを通じて遊技場の管理現況を把握することができる。第三者のアクセスを避けるために前記アクセスの時には使用者ＩＤ及びパスワードを入力するようにすることが望ましい。
【００２３】
このような構成では、遊技場の店主ないし管理者など予め定められた者が、遊技場に連絡を取らずにコンピューターを通じて、遊技場で管理サーバーを通じて把握することと等しく、遊技場の状況を把握することができるようになる。遊技場の各貨幣情報処理器に対する売上げ及び全売上げも確認でき、障害可否も便利に確認することができるので、必要措置を直ちに取ることができる長所がある。
【００２４】
図３には、本発明のまた他の実試例が図示されている。前記実試例によると、遊技場管理システムのサーバー１００が無線通信網を通じて無線通信端末機、例えば、携帯電話５５０と通信可能である。この構成では、障害が発生した場合に管理者の携帯電話５５０に文字メッセージを送る。文字メッセージを送ることは、各移動通信社の短文サービス（Ｓｈｏｒｔ　Ｍｅｓｓａｇｅ　Ｓｅｒｖｉｃｅ：ＳＭＳ）を利用することができる。送信されるメッセージは、貨幣情報処理装置の障害内容と障害コードなどの遊技場管理情報に関するものである。管理者は、前記文字メッセージを通じて、遊技場外部にいる時でも遊技場の現況を把握することができ、遊技器に障害が発生する場合にはこれを直ちに改める措置を取ることができる。
【００２５】
図４には、本発明による遊技場管理システムに使われる貨幣情報処理装置の正面図が図示されている。前記貨幣情報処理装置は複数の配列されている遊技器本体の間に配置され、使用者が遊技のために金額を投入し、投入された金額に対する情報処理を行う装置である。図４に図示された貨幣情報処理装置では、ＩＣカードが使われる。
【００２６】
前記貨幣処理装置の詳細な構成及び作動に対しては以下で説明する。
図４に図示されたように、本発明による貨幣情報処理装置６００の正面には紙幣投入口６２０と、硬貨投入口６３０と、表示手段６４０と、金額選択部６５０と、硬貨返納口６６０と、ＩＣカード投入口６７０と、ＩＣカード取出口６８０と、釣り銭返却口６９０で提供される。
【００２７】
図５には、図４に図示された貨幣情報処理装置の内部構成が図示されている。本発明による貨幣情報処理装置６００は紙幣認識部７１０と、硬貨認識部７２０と、ＩＣカード記録／判読部７３０と、ＩＣカード流入部７４０と、ＩＣカード保存部７５０と、ＩＣカード取出部７６０と、紙幣返納部７７０と、硬貨返納部７８０と、インタフェース部７９０と、制御部８００とを含む。
【００２８】
紙幣認識部７１０は、貨幣情報処理装置６００中に投入された紙幣を認識する部分であり、紙幣投入口６２０に接して貨幣情報処理装置６００の内部に配置される。紙幣認識部７１０は投入された紙幣の真偽可否と、投入された紙幣の毀損程度を認識して判断する。投入された紙幣が偽装紙幣であると判断される場合には、貨幣情報処理装置６００が作動しないようにし、紙幣の毀損程度のひどい紙幣は紙幣投入口６２０を通じて直ちに返すようにする。偽装紙幣であると判断される場合には、投入された紙幣を返さずに制御部８００により店主に届けるなどの動作を遂行することも可能である。
【００２９】
硬貨認識部７２０は、貨幣情報処理装置６００内部に投入された硬貨を認識する部分であり、硬貨投入口６３０に接して貨幣情報処理装置６００の内部に配置される。硬貨認識部７２０は、投入された硬貨の真偽可否と、投入された硬貨の毀損程度を認識して判断する。投入された硬貨が偽造されたと判断される場合には貨幣情報処理装置６００が作動しないようにし、投入された硬貨の毀損程度がひどい場合にはこれを硬貨返却口６６０を通じて返すようにする。偽造された硬貨であると判断される場合には、投入された硬貨を返さずに制御部８００により店主に届けるなどの動作を遂行することも可能である。
【００３０】
ＩＣカード記録／判読部７３０は、貨幣情報処理装置６００に投入されたＩＣカードに金額情報を記録したり、記録された金額情報を差引する構成要素である。ＩＣカード記録／判読部７３０には、紙幣認識部７１０及び硬貨認識部７２０で認識した貨幣の金額情報が送信されてこれを記録したり、あるいは、遊技者が金額選択ボタン１５０により選択した金額に当たる金額情報を記録する。ＩＣカード記録／判読部７３０はカード投入口６７０に接して貨幣情報処理装置６００の内部に配置されている。
【００３１】
ＩＣカード流入部７４０は、貨幣情報処理装置６００に投入されたＩＣカードをＩＣカード保存部７５０に移送したり、ＩＣカード記録／判読部により充填され、差引される位置に維持するようにする。紙幣投入口６２０または硬貨投入口６３０を通じて貨幣を投入しない状態でＩＣカードを投入すると、すなわち、店主が投入する場合においては、制御部８００から命令を受けて前記ＩＣカード流入部７４０は投入されたＩＣカードを後述するＩＣカード保存部７５０に移送させる。貨幣を投入した状態で、後述するように取出されたＩＣカードが再びＩＣカード投入口６７０を通じて投入される場合には、制御部８００から命令により、投入されたＩＣカードをＩＣカード保存部７５０に移送しない。この場合、ＩＣカード記録／判読部７３０が投入された前記ＩＣカードに記録して判読できる位置に、前記ＩＣカードを移送して維持させる。
【００３２】
ＩＣカード流入部７４０は、遊技が遂行された結果ＩＣカードの残額が０になる場合には、後述する制御部８００の命令により前記記録／判読可能な位置に配置されているＩＣカードをＩＣカード保存部７５０に移送させて、ＩＣカード保存部７５０に保存されるようにする。
ＩＣカード保存部７５０は、ＩＣカード流入部７４０から移送されてきたＩＣカードを保存する。本発明の望ましい実試例によると、前記ＩＣカード保存部７５０には複数のＩＣカードが整列されて保存される。
【００３３】
ＩＣカード取出部７６０は、ＩＣカード保存部７５０に保存されているＩＣカードを一つずつ取出す手段である。紙幣認識部７１０及び硬貨認識部７２０が投入された紙幣ないし硬貨を認識して有効である判断すれば、制御部８００は一つのＩＣカードを取出すようにする命令をＩＣカード取出部７６０に送る。命令を受けたＩＣカード取出部７６０は、前記ＩＣカード保存部７５０に保存されている複数のＩＣカードの中である一つをＩＣカード取出口６８０を通じて取出す。
【００３４】
紙幣返納部７７０及び硬貨返納部７８０は残額を返すようにする。遊技が投入した金額を全部消費しない状態で遊技終了したり、金額選択部６５０により投入した金額の中で一部に対してのみ遊技することにした場合には、投入された金額で消費した金額または選択された金額を除いた金額を釣り銭返却口６９０を通じて返すようにする。
【００３５】
インタフェース部７９０は、遊技器と接続される部分として、貨幣情報処理装置６００でＩＣカードに記録された金額情報に基づいて発生される信号を遊技器に伝送して、遊技器から送信される信号を制御部８００に伝送する。遊技器に伝送した信号に基づいて、遊戯器では、遊技媒体、例えば、玉などを貸し出す過程が遂行されるようになる。このインタフェース部７９０には、貨幣情報処理装置６００の金額情報及び障害情報をメインサーバー１００に送るようにするインタフェースも含まれている。
【００３６】
制御部８００は、本発明による貨幣情報処理装置６００の動作を制御する部分である。貨幣が貨幣情報処理装置６００に投入されない状態でＩＣカードが投入されると、制御部８００は遊技店主がＩＣカード保存のために金額情報が記載されてないＩＣカードを投入することと判断し、ＩＣカード流入部７４０が投入されたＩＣカードをＩＣカード保存部７５０に移送するようにする。また、前記制御部８００は貨幣情報処理装置６００の障害及び／または金額情報を送るようにする。
【００３７】
貨幣が貨幣情報処理装置６００に投入されて紙幣認識部７１０及び硬貨認識部７２０により認識可能な有効な貨幣であると判断されれば、ＩＣカード取出部７６０がＩＣカード保存部７５０に保存されているＩＣカードの中で一つを取出すよう命令する。
遊技者が取出されたＩＣカードをＩＣカード投入口６７０を通じて投入するとＩＣカード流入部７４０が投入されたＩＣカードをＩＣカード記録／判読部７３０により記録／判読が可能な位置に移送することを命令する。そして、投入された金額に当たる金額情報をＩＣカードに記録するようにする。続いて制御部８００は記録された金額情報に基礎した信号をインタフェース部７９０を通じて遊技器本体に送るようにする。制御部８００からの指令により、記録／判読部７３０は、遊技が遂行されるに従い、遂行された分の金額をＩＣカードから差引する。
【００３８】
遊技者が金額選択をした場合には、制御部８００は選択された金額を除いた残額を返すようにしたり、あるいは、終了信号が入力される前には残額を返さず、遊技者が何回か金額選択を遂行して遊技を行うようにすることもできる。
遊技遂行結果ＩＣカードに記録されている残額が０になる場合には、遊技が終わったことと判断し、前記制御部８００はＩＣカード流入部７４０がＩＣカードをＩＣカード保存部７５０に移送するようにする。
【００３９】
一方、本発明の他の実試例によると、ＩＣカードではなく、信用カード（例えばクレジットカード）が使われる貨幣情報処理装置（図示されていない）を使うこともできる。そのような貨幣情報処理装置では遊技者が信用カードを貨幣情報処理装置に投入して、遊技を行おうとする金額をキーパッドなどを通じて入力して遊技金額用カード通じて決済する。
【００４０】
以上、本発明の実試例に対して説明したが、本発明の権利範囲は前記実試例に限定されるのではなく、添付された特許請求の範囲により決まることを理解しなければならない。また、当業者は前記実試例に多様な改良及び修正を加えることが明白であり、そのような改良及び修正された技術も本発明の権利範囲に属することが特許請求範囲から明白に理解される。
【００４１】
【発明の効果】
本発明によれば、遊技器の間に配置される貨幣情報処理装置から金額情報ないし障害情報をメインサーバーが受信し、これらをを統合管理することができるので、遊技場の管理が一層便利になる。また、前述のように、通信網を通じてメインサーバーと連結されているコンピューターまたはポータブル通信手段などを通じて、遊技場の外部でも、遊技場の金額情報及び障害情報などを容易に確認して必要な措置を取ることができるなど、遊技場管理の便宜性が高揚される効果がある。
【図面の簡単な説明】
【図１】本発明による遊技場の管理システムのシステム構成図。
【図２】本発明による遊技場の管理システムが外部のコンピューターとインターネットを通じて接続されていることを図示した図面。
【図３】本発明による遊技場の管理システムが外部の通信手段と無線通信できるようになっていることを図示した図面。
【図４】本発明による遊技場に使われる貨幣情報処理装置の一例正面図。
【図５】図４に図示された貨幣情報処理器の内部構成図。
【符号の説明】
１００　メインサーバー
１１０　使用者情報データベース
１２０　貨幣情報処理装置情報データベース
１３０　金額情報データベース
１４０　障害情報データベース
２００　貨幣情報処理装置
４００　外部コンピューター
５５０　ポータブル通信手段
６００　貨幣情報処理装置
６４０　表示手段
６７０　ＩＣカード投入口
６８０　ＩＣカード取出口
【図１】
2004081799.tif 000003
【図２】
2004081799.tif 000004
【図３】
2004081799.tif 000005
【図４】
2004081799.tif 000006
【図５】
2004081799.tif 000007